【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
互いに透光性を備えた第１及び第２基板の間に設けられた液晶層と、
該第１基板上に設けられた複数のデータ線と、
該複数のデータ線に電気的に接続された複数のスイッチング素子と、
前記データ線及び前記スイッチング素子を覆うように前記第１基板上に設けられた層間絶縁膜と、
該層間絶縁膜の上に設けられ、該層間絶縁膜に形成されたコンタクトホールを介して前記スイッチング素子に接続され、平面視で前記データ線と重なる複数の画素電極と、
該複数の画素電極のうち隣り合う画素電極同士の間隙に平面視で重なり、前記データ線に沿うように前記第１基板上に設けられた複数の遮光部材と、
前記第１基板上又は前記第２基板上に設けられ、前記データ線と平面視で交差する複数の走査線と、を有し、
前記複数の遮光部材は互いに同電位であることを特徴とする液晶装置。
【請求項２】
請求項１に記載の液晶装置において、
前記複数の遮光部材が共通線につながっていることを特徴とする液晶装置。
【請求項３】
請求項１又は請求項２に記載の液晶装置において、
前記遮光部材は、前記スイッチング素子を構成するいずれか１つの材料と同じ材料によって形成されていることを特徴とする液晶装置。
【請求項４】
請求項３に記載の液晶装置において、
前記スイッチング素子は、前記基板側から順に第１素子電極、絶縁膜、第２素子電極を積層して成る非線形抵抗素子であり、
前記遮光部材は、前記第１素子電極、絶縁膜、及び第２素子電極のいずれか１つと同じ材料によって形成されていることを特徴とする液晶装置。
【請求項５】
請求項１から請求項４のいずれか１つに記載の液晶装置において、
前記走査線を１水平走査期間毎に順次に選択すると共に選択した走査線に選択電圧を印加する走査線駆動回路と、
前記複数のデータ線の１つに対して、当該データ線と前記選択された走査線との交差に対応するサブ画素を点灯状態にする点灯電圧か、又は当該サブ画素を非点灯状態にすると共に前記選択電圧との差が前記点灯電圧よりも小さい非点灯電圧か、のいずれか一方を、前記選択電圧が印加される期間のうち、当該サブ画素の階調に応じた期間にわたって印加した後に、その残余期間にわたって前記点灯電圧又は前記非点灯電圧の他方に切り替えて印加するデータ線駆動回路とを有し、
前記データ線駆動回路は、前記選択電圧の印加開始タイミングとは異なるタイミングにて、前記点灯電圧から前記非点灯電圧に切り替えることを特徴とする液晶装置。
【請求項６】
透光性を備えた第１基板上に複数のデータ線を形成する工程と、
前記複数のデータ線に電気的に接続する複数のスイッチング素子を形成するスイッチング素子形成工程と、
前記データ線及び前記スイッチング素子を覆うように前記第１基板上に層間絶縁膜を形成し、該層間絶縁膜に前記スイッチング素子につながるコンタクトホールを形成する工程と、
前記コンタクトホールを介して前記スイッチング素子に導電接続するように且つ平面視で前記データ線と重なるように、前記層間絶縁膜の上に複数の画素電極を形成する工程と、
前記複数の画素電極のうち隣り合う画素電極同士の間隙に平面視で重なるように且つ前記データ線に沿うように、前記第１基板上に複数の遮光部材を形成する遮光部材形成工程と、を有することを特徴とする液晶装置の製造方法。
【請求項７】
請求項６に記載の液晶装置の製造方法において、
前記遮光部材形成工程では、前記複数の遮光部材が共通線につながるように形成されることを特徴とする液晶装置の製造方法。
【請求項８】
請求項６又は請求項７に記載の液晶装置の製造方法において、
前記遮光部材形成工程は、前記スイッチング素子形成工程と同時に行われることを特徴とする液晶装置の製造方法。
【請求項９】
請求項８に記載の液晶装置の製造方法において、
前記スイッチング素子形成工程において、前記第１基板側から順に第１素子電極、絶縁膜、第２素子電極を積層して、前記スイッチング素子が形成され、
前記遮光部材形成工程は、前記第２素子電極が形成される際に同時に行われることを特徴とする液晶装置の製造方法。
【請求項１０】
請求項９に記載の液晶装置の製造方法において、
前記第１素子電極はタンタル又はタンタル合金によって形成され、
前記絶縁膜は陽極酸化膜によって形成され、
前記第２素子電極はクロム、又はモリブデンとタングステンとを含む合金によって形成されることを特徴とする液晶装置の製造方法。
【請求項１１】
請求項１から請求項５のいずれか１つに記載の液晶装置を有することを特徴とする電子機器。
【手続補正２】
【補正対象書類名】明細書
【補正対象項目名】０００８
【補正方法】変更
【補正の内容】
【０００８】
本発明に係る液晶装置は、互いに透光性を備えた第１及び第２基板の間に設けられた液晶層と、該第１基板上に設けられた複数のデータ線と、該複数のデータ線に電気的に接続された複数のスイッチング素子と、前記データ線及び前記スイッチング素子を覆うように前記第１基板上に設けられた層間絶縁膜と、該層間絶縁膜の上に設けられ、該層間絶縁膜に形成されたコンタクトホールを介して前記スイッチング素子に接続され、平面視で前記データ線と重なる複数の画素電極と、該複数の画素電極のうち隣り合う画素電極同士の間隙に平面視で重なり、前記データ線に沿うように前記第１基板上に設けられた複数の遮光部材と、前記第１基板上又は前記第２基板上に設けられ、前記データ線と平面視で交差する複数の走査線と、を有し、前記複数の遮光部材は互いに同電位であることを特徴とする。
【手続補正３】
【補正対象書類名】明細書
【補正対象項目名】００１３
【補正方法】変更
【補正の内容】
【００１３】
次に、本発明に係る液晶装置において、前記複数の遮光部材が共通線につながっていることが望ましい。遮光部材を同電位に設定するためには、遮光部材に個別に同じ電位を印加することも考えられるが、複数の遮光部材を共通線につなげる方が簡単である。
【手続補正４】
【補正対象書類名】明細書
【補正対象項目名】００１４
【補正方法】変更
【補正の内容】
【００１４】
次に、本発明に係る液晶装置において、前記遮光部材は、前記スイッチング素子を構成するいずれか１つの材料と同じ材料によって形成されていることが望ましい。こうすれば、遮光部材をスイッチング素子を同時に形成できるので、コストを抑えることができる。
【手続補正５】
【補正対象書類名】明細書
【補正対象項目名】００１５
【補正方法】変更
【補正の内容】
【００１５】
次に、本発明に係る液晶装置において、前記スイッチング素子は、前記基板側から順に第１素子電極、絶縁膜、第２素子電極を積層して成る非線形抵抗素子であり、前記遮光部材は、前記第１素子電極、絶縁膜、及び第２素子電極のいずれか１つと同じ材料によって形成されていることが望ましい。１素子電極、絶縁膜、第２素子電極を積層して成る非線形抵抗素子はＴＦＤ素子として知られている。このＴＦＤ素子を形成する基板上に遮光部材を形成する場合には、ＴＦＤ素子の構成要素のいずれか１つ又はいずれか２つ以上の要素を用いて遮光部材を形成することが望ましい。こうすれば、遮光部材の形成にあたってコストを低く抑えることができる。
【手続補正６】
【補正対象書類名】明細書
【補正対象項目名】００１６
【補正方法】変更
【補正の内容】
【００１６】
次に、本発明に係る液晶装置は、前記走査線を１水平走査期間毎に順次に選択すると共に選択した走査線に選択電圧を印加する走査線駆動回路と、前記複数のデータ線の１つに対して、当該データ線と前記選択された走査線との交差に対応するサブ画素を点灯状態にする点灯電圧か、又は当該サブ画素を非点灯状態にすると共に前記選択電圧との差が前記点灯電圧よりも小さい非点灯電圧か、のいずれか一方を、前記選択電圧が印加される期間のうち、当該サブ画素の階調に応じた期間にわたって印加した後に、その残余期間にわたって前記点灯電圧又は前記非点灯電圧の他方に切り替えて印加するデータ線駆動回路とを有し、前記データ線駆動回路は、前記選択電圧の印加開始タイミングとは異なるタイミングにて、前記点灯電圧から前記非点灯電圧に切り替えることを特徴とする。
【手続補正７】
【補正対象書類名】明細書
【補正対象項目名】００１９
【補正方法】変更
【補正の内容】
【００１９】
次に、本発明に係る液晶装置の製造方法は、透光性を備えた第１基板上に複数のデータ線を形成する工程と、前記複数のデータ線に電気的に接続する複数のスイッチング素子を形成するスイッチング素子形成工程と、前記データ線及び前記スイッチング素子を覆うように前記第１基板上に層間絶縁膜を形成し、該層間絶縁膜に前記スイッチング素子につながるコンタクトホールを形成する工程と、前記コンタクトホールを介して前記スイッチング素子に導電接続するように且つ平面視で前記データ線と重なるように、前記層間絶縁膜の上に複数の画素電極を形成する工程と、前記複数の画素電極のうち隣り合う画素電極同士の間隙に平面視で重なるように且つ前記データ線に沿うように、前記第１基板上に複数の遮光部材を形成する遮光部材形成工程と、を有することを特徴とする。
【手続補正８】
【補正対象書類名】明細書
【補正対象項目名】００２１
【補正方法】変更
【補正の内容】
【００２１】
次に、本発明に係る液晶装置の製造方法において、前記遮光部材形成工程では、前記複数の遮光部材が共通線につながるように形成されることが望ましい。こうすれば、複数の遮光部材を簡単に同電位に設定することができる。
【手続補正９】
【補正対象書類名】明細書
【補正対象項目名】００２２
【補正方法】変更
【補正の内容】
【００２２】
次に、本発明に係る液晶装置の製造方法において、前記遮光部材形成工程は、前記スイッチング素子形成工程と同時に行われることが望ましい。なお、前記スイッチング素子は前記基板側から順に第１素子電極、絶縁膜、第２素子電極を積層して形成すること、すなわちＴＦＤ素子として形成することができるので、その場合には、前記遮光部材形成工程は前記スイッチング素子形成工程において前記第２素子電極が形成される際に同時に遮光部材を形成することが望ましい。こうすれば、遮光部材を形成するにあたって工程を増やす必要が無いので、経済的である。